(57)【要約】【課題】施工が手軽で、施設物の基礎工事の工期を画期的に短縮することができるだけでなく、上部設置施設物が破壊された際、基礎まで全面再施工する必要がなく、上部構造物だけを交換設置できるようにして再施工性に優れ、再施工時の鉄筋コンクリートなどの廃棄物が発生しない、親環境的な長所を有する土木建築用アンカーを提供する。【解決手段】パイプ形状を成し、両端にネジ部が形成された本体１２０と、本体１２０のネジ部に締結されるネジが形成されたエンド１１０とを有している。エンド１１０は、本体１２０に締結されたとき、本体１２０の内部に連通する流動孔１１３を有する締結部１１２を備えている。エンド１１０は、両側面に流動孔１１３と連通する流出孔１１１が形成されている。【選択図】図１
2011179306.tif 000002
【特許請求の範囲】
【請求項１】
パイプ形状を成し、両端にネジ部が形成された本体(120)と、
前記本体(120)のネジ部に締結されるネジが形成されて、前記本体(120)に締結されたとき前記本体(120)の内部に連通する流動孔(113)を有する締結部(112)を備え、両側面に前記流動孔(113)と連通する流出孔(111)が形成されたエンド(110)とを、
有することを特徴とする土木建築用アンカー。
【請求項２】
前記本体(120)内部に挿入されて接着剤の損失を抑制する流動管(121)を有することを、特徴とする請求項１記載の土木建築用アンカー。
【請求項３】
前記本体(120)のネジ部にネジ結合して前記本体(120)を連続締結可能にネジが形成され、内部に流動貫通孔(141)が貫通したコネクター(140)を有することを、特徴とする請求項１または２記載の土木建築用アンカー。
【請求項４】
前記本体(120)のネジ部に前記コネクター(140)を利用して締結可能で、施設物を締結固定するための締結部材(130)を有することを、特徴とする請求項３記載の土木建築用アンカー。
【請求項５】
前記本体(120)の側面に、内部に連通する本体流出孔(122)が形成されていることを、特徴とする請求項１、２、３または４記載の土木建築用アンカー。
【請求項６】
前記本体(120)および締結部材(130)の外面に、腐食防止コーティング層が形成されていることを、特徴とする請求項４記載の土木建築用アンカー。
【請求項７】
板状で締結孔(151)が穿孔されており、前記本体(120)または前記締結部材(130)の上部に前記締結孔(151)を介して前記施設物と共に締結されて施設物の転倒を防止するよう設けられた固定板(150)を有することを、特徴とする請求項１、２、３、４、５または６記載の土木建築用アンカー。
【請求項８】
前記本体(120)は金属または高強度プラスチックで成形されていることを、特徴とする請求項１、２、３、４、５、６または７記載の土木建築用アンカー。
【発明の詳細な説明】
【技術分野】
【０００１】
本発明は、小規模コンクリート基礎に代えて、現場で簡単に施工することができ、施工性に優れ、工期を画期的に短縮することができる土木建築用アンカーに関する。
【背景技術】
【０００２】
一般的に、建築または土木工事時の構造物を堅固に支持するために、基礎コンクリートが施工されている。規模が小さい道路施設物やコンクリートブロック壁体などでも、堅固に支持するために、小規模のコンクリート基礎が施工されている。
【０００３】
図７に示すように、道路に表示板２０を設置したり、図８に示すように、コンクリートブロック壁体４０を施工したりする時には、土中に小規模のコンクリート基礎１０や鉄筋コンクリート基礎３０を施工した後、表示板２０またはコンクリートブロック壁体４０等の施設物が設置されている（例えば、特許文献１または２参照）。
【先行技術文献】
【特許文献】
【０００４】
【特許文献１】実用新案登録第３１２２１５６号公報
【特許文献２】特開２００５−２０７１６３号公報
【発明の概要】
【発明が解決しようとする課題】
【０００５】
図７および図８に示すようなコンクリート基礎を施工するためには、構造物の孔掘り工事、鉄筋配筋工事、型設置工事、再埋立工事などの複雑な工程を経なければならない。このような工事には、短くとも７日程度が必要とされ、工期が長いという課題があった。また、長い工期が必要とされるだけでなく、上部施設物が破壊された時、コンクリート基礎の全面再施工が要求されるという課題もあった。さらに、再施工時に多量の鉄筋コンクリート廃棄物が発生し、環境的な問題が発生するという課題もあった。
【０００６】
本発明は、このような課題に着目してなされたもので、施工が手軽で工期を画期的に短縮することができ、上部設置施設物が破壊された際、上部構造物だけを交換設置できるようにして再施工性に優れ、再施工時の廃棄物が発生しない土木建築用アンカーを提供することを目的としている。
【課題を解決するための手段】
【０００７】
上記目的を達成するために、本発明に係る土木建築用アンカーは、パイプ形状を成し、両端にネジ部が形成された本体(120)と、前記本体(120)のネジ部に締結されるネジが形成されて、前記本体(120)に締結されたとき前記本体(120)の内部に連通する流動孔(113)を有する締結部(112)を備え、両側面に前記流動孔(113)と連通する流出孔(111)が形成されたエンド(110)とを、有することを特徴とする。
【０００８】
本発明に係る土木建築用アンカーは、前記本体(120)内部に挿入されて接着剤の損失を抑制する流動管(121)を有することが好ましい。
また、本発明に係る土木建築用アンカーは、前記本体(120)のネジ部にネジ結合して前記本体(120)を連続締結可能にネジが形成され、内部に流動貫通孔(141)が貫通したコネクター(140)を有することが好ましい。
【０００９】
本発明に係る土木建築用アンカーは、前記本体(120)のネジ部に前記コネクター(140)を利用して締結可能で、施設物を締結固定するための締結部材(130)を有することが好ましい。締結部材は、本体の長さより短く整形されていることが好ましい。
また、本発明に係る土木建築用アンカーは、前記本体(120)の側面に、内部に連通する本体流出孔(122)が形成されていてもよい。
【００１０】
本発明に係る土木建築用アンカーは、前記本体(120)および締結部材(130)の外面に、腐食防止コーティング層が形成されていてもよい。
また、本発明に係る土木建築用アンカーは、板状で締結孔(151)が穿孔されており、前記本体(120)または前記締結部材(130)の上部に前記締結孔(151)を介して前記施設物と共に締結されて施設物の転倒を防止するよう設けられた固定板(150)を有することが好ましい。
本発明に係る土木建築用アンカーで、前記本体(120)は金属または高強度プラスチックで成形されていることが好ましい。
【発明の効果】
【００１１】
本発明によれば、施工が手軽で、施設物の基礎工事の工期を画期的に短縮することができるだけでなく、上部設置施設物が破壊された際、基礎まで全面再施工する必要がなく、上部構造物だけを交換設置できるようにして再施工性に優れ、再施工時の鉄筋コンクリートなどの廃棄物が発生しない、親環境的な長所を有する土木建築用アンカーを提供することができる。
【００１２】
また、本発明によれば、単純に引張応力だけを負担する形態の従来の単純土木建築用引張アンカーに代えて、引張応力はもちろんせん断応力まで負担できるため、施設物をより一層堅固に設置することができる。
【図面の簡単な説明】
【００１３】
【図１】本発明の実施の形態の土木建築用アンカーを示す分解斜視図である。
【図２】図１に示す土木建築用アンカーの使用状態を示す（ａ）断面図、（ｂ）上端部の拡大断面図、（ｃ）下端部の拡大断面図である。
【図３】図１に示す土木建築用アンカーの使用状態を示す側面図である。
【図４】図１に示す土木建築用アンカーの、本体が本体流出孔を有する変形例の断面図である。
【図５】図４に示す土木建築用アンカーの変形例の使用状態を示す側面図である。
【図６】図１に示す土木建築用アンカーの固定板を示す斜視図である。
【図７】従来の道路表示板の小規模コンクリート基礎を示す側面図である。
【図８】従来のコンクリートブロック壁体の小規模コンクリート基礎を示す斜視図である。
【発明を実施するための形態】
【００１４】
以下、図面に基づき、本発明の実施の形態について説明する。
図１乃至図６は、本発明の実施の形態の土木建築用アンカーを示している。
図１に示すように、本発明の実施の形態の土木建築用アンカー１００は、大きく本体１２０と、本体１２０の下段に締結されるエンド１１０と、本体１２０の上段に締結される締結部材１３０と、本体１２０−本体１２０または締結部材１３０−本体１２０を締結するコネクター１４０とで構成されている。
【００１５】
本体１２０は、パイプ形態で、両端部内側に雌ネジ部が形成されている。
エンド１１０は、土層に圧入が容易なようにくさび形態に整形され、両側面に流出孔１１１が形成されている。エンド１１０は、本体１２０の下段にねじ締結されるよう、本体１２０の雌ネジ部に締結される雄ネジが形成された締結部１１２を備えている。締結部１１２は、本体１２０に締結されたとき、本体１２０の内部および流出孔１１１と連通する流動孔１１３を有している。
【００１６】
締結部材１３０は、パイプ形態で、両端部に雌ネジが形成されており、本体１２０の長さより短く整形されている。締結部材１３０は、上端部の雌ネジを利用して、施設物を締結固定するようになっている。
【００１７】
コネクター１４０は、内部に流動貫通孔１４１が形成されたパイプ形態で、外面に本体１２０の雌ネジ部および締結部材１３０の雌ネジに螺合する雄ネジが形成されている。コネクター１４０は、本体１２０−本体１２０を連続締結可能、および、締結部材１３０−本体１２０を締結可能になっている。
【００１８】
このように構成された土木建築用アンカー１００は、エンド１１０の締結部１１２を本体１２０の下段にねじ結合して本体１２０にエンド１１０を締結し、本体１２０の上段にコネクター１４０を利用して締結部材１３０をねじ結合した状態で土層に圧入する。エンド１１０がくさび形態に整形されているため、圧入をより容易にすることができる。
【００１９】
万一、地面が固かったり、土層に挿入する深さが深くて土木建築用アンカー１００の圧入が難しい時は、あらかじめ小口径のドリルで地面を穿孔した後、穿孔された孔に土木建築用アンカー１００を圧入してもよい。
【００２０】
このように土層に土木建築用アンカー１００を圧入後、締結部材１３０の上部からエポキシなどの接着剤を注入することにより、図２に示すように、締結部材１３０から注入された接着剤がコネクター１４０の流動貫通孔１４１と、本体１２０の内部とを通って、さらにエンド１１０の締結部１１２の流動孔１１３を通って流出孔１１１で排出される。
【００２１】
こうしてエンド１１０の流出孔１１１から排出された接着剤は、図２に示すように、土層の土や砂利などと結合した後、塊２００で硬化する。塊２００が土層で基礎の代わりに引張応力および圧縮力を負担することにより、図３に示すように、締結部材１３０に締結される多様な施設物を堅固に支持することができる。
【００２２】
締結部材１３０は、土木建築用アンカー１００と締結される施設物の締結部に応じて多様な大きさや形で整形されることが好ましく、これにより、様々な種類の施設物を固定することができ、幅広くアンカーの互換性を高めることができる。
【００２３】
図１乃至図３に示す本発明の実施例では、施設物を締結部材１３０に締結することで説明したが、締結部材１３０なしで、本体１２０にエンド１１０を結合した土木建築用アンカー１００を土層に圧入設置して、施設物を本体１２０の上部内面に形成された雌ネジ部にねじ結合させることもできる。
【００２４】
また、図１および図２に示すように、本体１２０の内部に流動管１２１を挿入することにより、接着剤注入後、本体１２０の内部に残存して流失する接着剤の量を減少させることができる。また、土層に圧入する土木建築用アンカー１００を長くしなければならない場合、コネクター１４０を利用していくつかの本体１２０を連結して使うことができる。
【００２５】
なお、図４に示すように、土木建築用アンカー１００は、本体１２０の側面の中間の部分に、内部に連通する本体流出孔１２２が形成されていてもよい。これにより、締結部材１３０を通じて注入されたエポキシなどの接着剤が、コネクター１４０の流動貫通孔１４１と、本体１２０または流動管１２１の内部と、エンド１１０とを流動する過程で、図５に示すように、本体１２０に形成された本体流出孔１２２とエンド１１０に形成された流出孔１１１とを通じて排出され、土層の土や砂利などと結合した後、塊２００で硬化する。
【００２６】
即ち、土木建築用アンカー１００の下部と中間とで、二重で硬化した塊２００が形成されることにより、施設物から伝えられる圧縮力による土木建築用アンカー１００の坐屈などを防止して、土木建築用アンカー１００が施設物をより一層堅固に支持するようにすることができる。
【００２７】
また、図示していないが、土木建築用アンカー１００の本体１２０および締結部材１３０の外面に、腐食防止用コーティングをしてコーティング層を形成することが望ましい。土木建築用アンカー１００が土層に圧入設置された状態では腐食が発生することがあるが、コーティング層を形成することにより、土木建築用アンカー１００が腐食されるのを防止することができる。腐食防止コーティング層の構成は、すでに広く知られた公示の技術であるため、これに対する詳細な説明は省略する。また、土木建築用アンカー１００の各構成要素は金属材質で整形されているが、本体１２０は広く知られた高強度プラスチックを使って構成されていてもよい。
【００２８】
土木建築用アンカー１００を利用して小規模施設物を設置する時、図６に示すような固定板１５０を挟んで、施設物を土木建築用アンカー１００に設置してもよい。図６に示すように、固定板１５０は、板形態で、中心の部分に締結孔１５１が形成されている。図３に示すように、土層に圧入設置された土木建築用アンカー１００の締結部材１３０の上部に、締結孔１５１を締結部材１３０の孔と一致させて固定板１５０を設置した後、施設物を締結部材１３０に締結する。このように、締結孔１５１を介して施設物と共に固定板１５０を締結することにより、施設物に作用する力（具体的には施設物の側方向に作用する力）を、固定板１５０が支持するようにして施設物の転倒を防止することができ、土木建築用アンカー１００が施設物をより一層堅固に支持できるようにすることができる。
【００２９】
以上、本発明の実施の形態の土木建築用アンカー１００について説明した。
なお、本発明の技術的構成は、本発明が属する技術分野の当業者がその技術的思想や必須特徴を変更することなく、他の具体的な形態でも実施することができる。したがって、以上で記述した実施例は、すべての面で例示的なものであり、限定的なものではない。本発明の範囲は、前述した発明の詳細な説明よりもむしろ特許請求の範囲によって現わされており、特許請求の範囲の意味および範囲、その等価概念から導き出されるすべての変更または変形された形態が、本発明の範囲に含まれる。
【符号の説明】
【００３０】
１００  土木建築用アンカー
１１０  エンド
１１１  流出孔
１１２  締結部
１１３  流動孔
１２０  本体
１２１  流動管
１２２  本体流出孔
１３０  締結部材
１４０  コネクター
１４１  流動貫通孔
１５０  固定板
１５１  締結孔
２００  塊
【図１】
2011179306.tif 000003
【図２】
2011179306.tif 000004
【図３】
2011179306.tif 000005
【図４】
2011179306.tif 000006
【図５】
2011179306.tif 000007
【図６】
2011179306.tif 000008
【図７】
2011179306.tif 000009
【図８】
2011179306.tif 000010